【手続補正書】
【提出日】平成17年1月21日(2005.1.21)
【手続補正１】
【補正対象書類名】明細書
【補正対象項目名】発明の名称
【補正方法】変更
【補正の内容】
【発明の名称】プレゼンテーションシステムならびにプロジェクションシステム
【手続補正２】
【補正対象書類名】明細書
【補正対象項目名】特許請求の範囲
【補正方法】変更
【補正の内容】
【特許請求の範囲】
【請求項１】
プロジェクタと前記プロジェクタを音声によって遠隔制御可能なマイクロホン付きコマンダとを有し、このマイクロホン付きコマンダから出力された音声データによって前記プロジェクタの動作制御を可能とし、
前記マイクロホン付きコマンダは、音声を入力する音声入力手段と、前記音声を前記プロジェクタ側に音声認識させるかまたは音声認識させないかを設定する操作手段と、前記音声を音声データに変換する変換手段とを有し、
前記プロジェクタは、プロジェクタ機能動作部と、前記マイクロホン付きコマンダから出力された音声データのうち、前記操作手段にて音声認識させるとされた音声データを認識する前記音声認識手段と、プレゼンテーション用データを入力可能なプレゼンテーション用データ入力手段と、入力されたプレゼンテーション用データを処理して前記プロジェクタから出力すべきデータを生成するとともに前記音声データを受けて前記プロジェクタ機能動作部に対する動作制御信号を生成するプロジェクタ制御手段とを有する、
ことを特徴とするプレゼンテーションシステム。
【請求項２】
前記プレゼンテーション用データ入力手段は、前記プレゼンテーション用データが記憶された記憶媒体を前記プロジェクタに装着可能とするスロット部と、前記プロジェクタをネットワークに接続可能とするネットワーク接続部と、の少なくともいずれか一方を有することを特徴とする請求項１記載のプレゼンテーションシステム。
【請求項３】
前記プロジェクタは、前記プレゼンテーション用データ入力手段に入力されたプレゼンテーション用データを記憶する記憶手段を有することを特徴とする請求項１または２記載のプレゼンテーションシステム。
【請求項４】
前記プロジェクタ制御部から前記プロジェクタ機能動作部に対して出力される動作制御信号は、表示する画面の順方向及び前記順方向とは逆の逆方向の送りを制御する信号、画面を選択するための信号、前記画面に一覧表示を行わせるための信号、前記プレゼンテーション用データが複数のファイルに分かれて存在する場合は、それぞれのファイルの切り替えや選択を行わせるための信号の少なくとも１つを含むことを特徴とする請求項１から３のいずれかに記載のプレゼンテーションシステム。
【請求項５】
プロジェクタと前記プロジェクタを音声によって遠隔制御可能なマイクロホン付きコマンダとを有し、前記マイクロホン付きコマンダから出力された動作制御信号によって前記プロジェクタの動作制御を可能とし、
前記マイクロホン付きコマンダは、前記音声を入力する音声入力手段と、前記音声入力手段に入力された前記音声を音声データとして認識する音声認識手段と、前記音声を前記音声認識手段で音声認識させるかまたは音声認識させないかを設定する操作手段と、前記操作手段の設定の結果を受けて、前記音声認識手段からの音声データに対応する動作制御信号を生成するコマンダ制御手段とを有し、
前記プロジェクタは、プロジェクタ機能動作部と、プレゼンテーション用データを入力可能なプレゼンテーション用データ入力手段と、入力されたプレゼンテーション用データを処理して、出力すべきデータを生成するとともに前記プロジェクタ機能動作部への動作制御信号を出力するプロジェクタ制御手段とを有する、
ことを特徴とするプレゼンテーションシステム。
【請求項６】
前記プレゼンテーション用データ入力手段は、前記プレゼンテーション用データが記憶された記憶媒体を前記プロジェクタに装着可能とするスロット部と、前記プロジェクタをネットワークに接続可能とするネットワーク接続部と、の少なくともいずれか一方を有することを特徴とする請求項５記載のプレゼンテーションシステム。
【請求項７】
前記プロジェクタは、前記プレゼンテーション用データ入力手段に入力されたプレゼンテーション用データを記憶する記憶手段を有することを特徴とする請求項５または６記載のプレゼンテーションシステム。
【請求項８】
前記マイクロホン付きコマンダから前記プロジェクタに対して出力される前記動作制御信号は、表示する画面の順方向及び前記順方向とは逆の逆方向の送りを制御する信号、画面を選択するための信号、前記画面に一覧表示を行わせるための信号、前記プレゼンテーション用データが複数のファイルに分かれて存在する場合は、それぞれのファイルの切り替えや選択を行わせるための信号の少なくとも１つを含むことを特徴とする請求項５から７のいずれかに記載のプレゼンテーションシステム。
【請求項９】
プロジェクタと前記プロジェクタを音声によって遠隔制御可能なマイクロホン付きコマンダとを有し、このマイクロホン付きコマンダから出力された音声データによって前記プロジェクタの動作制御を可能とし、
前記マイクロホン付きコマンダは、前記音声を入力する音声入力手段と、前記音声を前記プロジェクタ側で音声認識させるかまたは音声認識させないかを設定する操作手段と、前記音声を音声データに変換する変換手段とを有し、
前記プロジェクタは、プロジェクタ機能動作部と、前記マイクロホン付きコマンダから出力された音声データのうち、前記操作手段にて音声認識させるとされた音声データを認識する音声認識手段と、プレゼンテーション用データを入力可能なプレゼンテーション用データ入力手段と、入力されたプレゼンテーション用データを処理して当該プロジェクタから出力すべきデータを生成するとともに前記音声データを受けて前記プロジェクタ機能動作部に対する動作制御信号を生成するプロジェクタ制御手段とを有する、
ことを特徴とするプロジェクションシステム。
【手続補正３】
【補正対象書類名】明細書
【補正対象項目名】００１３
【補正方法】変更
【補正の内容】
【００１３】
【課題を解決するための手段】
上述した目的を達成するために、本発明のプレゼンテーションシステムは、プロジェクタと前記プロジェクタを音声によって遠隔制御可能なマイクロホン付きコマンダとを有し、このマイクロホン付きコマンダから出力された音声データによって前記プロジェクタの動作制御を可能とし、前記マイクロホン付きコマンダは、音声(例えばプレゼンテーションに用いることが出来る音声であり、プレゼンタに限らない)を入力する音声入力手段と、前記音声を前記プロジェクタ側で音声認識させるかまたは音声認識させないかを設定する操作手段と、前記音声を音声データに変換する変換手段とを有し、前記プロジェクタは、プロジェクタ機能動作部と、前記マイクロホン付きコマンダから出力された音声データのうち、前記操作手段にて音声認識させるとされた音声データを認識する音声認識手段と、プレゼンテーション用データを入力可能なプレゼンテーション用データ入力手段と、入力されたプレゼンテーション用データを処理して当該プロジェクタから出力すべきデータを生成するとともに前記音声データを受けて前記プロジェクタ機能動作部に対する動作制御信号を生成するプロジェクタ制御手段とを有している。
【手続補正４】
【補正対象書類名】明細書
【補正対象項目名】００１６
【補正方法】変更
【補正の内容】
【００１６】
また、前記プロジェクタ制御部から前記プロジェクタ機能動作部に対して出力される動作制御信号は、表示する画面の順方向及び前記順方向とは逆の逆方向の送りを制御する信号、画面を選択するための信号、前記画面に一覧表示を行わせるための信号、前記プレゼンテーション用データが複数のファイルに分かれて存在する場合は、それぞれのファイルの切り替えや選択を行わせるための信号の少なくとも１つを含んでいる。
【手続補正５】
【補正対象書類名】明細書
【補正対象項目名】００１７
【補正方法】変更
【補正の内容】
【００１７】
また、本発明のもう一方の発明であるプレゼンテーションシステムは、プロジェクタと前記プロジェクタを音声によって遠隔制御可能なマイクロホン付きコマンダとを有し、このマイクロホン付きコマンダから出力された動作制御信号によって前記プロジェクタの動作制御を可能とし、前記マイクロホン付きコマンダは、前記音声を入力する音声入力手段と、前記音声入力手段に入力された前記音声を音声データとして認識する音声認識手段と、前記音声を前記音声認識手段で音声認識させるかまたは音声認識させないかを設定する操作手段と、前記操作手段の設定の結果を受けて、前記音声認識手段からの音声データに対応する動作制御信号を生成するコマンダ制御手段とを有し、前記プロジェクタは、プロジェクタ機能動作部と、前記プレゼンテーション用データを入力可能なプレゼンテーション用データ入力手段と、入力されたプレゼンテーション用データを処理して、出力すべきデータを生成するとともに前記プロジェクタ機能動作部への動作制御信号を出力するプロジェクタ制御手段とを有している。
【手続補正６】
【補正対象書類名】明細書
【補正対象項目名】００２０
【補正方法】変更
【補正の内容】
【００２０】
また、このプレゼンテーションシステムにおいて、前記マイクロホン付きコマンダから前記プロジェクタに対して出力される動作制御信号は、表示する画面の順方向及び逆方向の送りを制御する信号、任意の画面を選択するための信号、一覧表示を行わせるための信号、プレゼンテーション用データが複数のファイルに分かれて存在する場合は、それぞれのファイルの切り替えや選択を行わせるための信号の少なくとも１つを含んでいる。
また、本発明のプロジェクションシステムは、プロジェクタと前記プロジェクタを音声によって遠隔制御可能なマイクロホン付きコマンダとを有し、このマイクロホン付きコマンダから出力された音声データによって前記プロジェクタの動作制御を可能とし、前記マイクロホン付きコマンダは、音声を入力する音声入力手段と、前記音声を前記プロジェクタ側で音声認識させるかまたは音声認識させないかを設定する操作手段と、前記音声を音声データに変換する変換手段とを有し、前記プロジェクタは、プロジェクタ機能動作部と、前記マイクロホン付きコマンダから出力された音声データのうち、前記操作手段にて音声認識させるとされた音声データを認識する音声認識手段と、プレゼンテーション用データを入力可能なプレゼンテーション用データ入力手段と、入力されたプレゼンテーション用データを処理して当該プロジェクタから出力すべきデータを生成するとともに前記音声データを受けて前記プロジェクタ機能動作部に対する動作制御信号を生成するプロジェクタ制御手段とを有している。